(57)【要約】【課題】  ＩＯＭの異常が復帰していた場合でも要因解析が可能なように過去のエラー情報が取得でき、一般のユーザでも情報を理解できるインターフェースを備えた情報管理システムを実現する。【解決手段】  入出力モジュールの状態を示す入出力モジュール情報を取得して表示する情報管理システムにおいて、  前記入出力モジュールの状態が正常から異常に変化したときの情報を表示する第１のエラー情報表示手段と、  前記入出力モジュールの状態が異常から正常に復帰したときの情報を表示する第２のエラー情報表示手段と、を備える。【選択図】                    図１
2006178727.tif 000002
【特許請求の範囲】
【請求項１】
入出力モジュールの状態を示す入出力モジュール情報を取得して表示する情報管理システムにおいて、
前記入出力モジュールの状態が正常から異常に変化したときの情報を表示する第１のエラー情報表示手段と、
前記入出力モジュールの状態が異常から正常に復帰したときの情報を表示する第２のエラー情報表示手段と、
を備えたことを特徴とする情報管理システム。
【請求項２】
前記第１及び第２のエラー情報表示手段は、エラー要因及び発生時刻情報を表示することを特徴とする請求項１に記載の情報管理システム。
【請求項３】
前記第１及び第２のエラー情報表示手段は、前記入出力モジュールのエラー要因を文字列で表示することを特徴とする請求項１又は２に記載の情報管理システム。
【請求項４】
プラントを制御する制御ステーションは、入出力モジュールの情報を収集するＩＯＭ情報収集手段を備え、
このＩＯＭ情報収集手段は、
入出力モジュールの状態が正常から異常に変化したときの情報を保持する第１のエラー情報保持手段と、
入出力モジュールの状態が異常から正常に復帰したときの情報を保持する第２のエラー情報保持手段と、
を備えることを特徴とする請求項１乃至３のいずれかに記載の情報管理システム。
【請求項５】
前記制御ステーションと制御バスを介して通信すると共に、前記制御ステーションのＩＯＭ情報収集手段よりデータを取得するＩＯＭレポート手段を有する情報管理装置を備え、
前記ＩＯＭレポート手段は、
前記第１及び第２のエラー情報表示手段を備えることを特徴とする請求項４に記載の情報管理システム。
【請求項６】
前記ＩＯＭレポート手段は、現在の入出力モジュールのステータス並びに異常の場合のエラー内容表示手段を備えることを特徴とする請求項５に記載の情報管理システム。
【請求項７】
前記制御バスを介して前記制御ステーションと通信して分散型制御システムを構成する操作監視装置内に前記ＩＯＭレポート手段が形成されていることを特徴とする請求項５又は６に記載の情報管理システム。
【請求項８】
前記制御ステーションは、前記プラントからのトリップ要求を受けてプラントの停止制御を実行する安全システムを形成することを特徴とする請求項４乃至７のいずれかに記載の情報管理システム。
【発明の詳細な説明】
【技術分野】
【０００１】
本発明は、入出力モジュールの状態を示す入出力モジュール情報を取得して表示する情報管理システムに関する。
【背景技術】
【０００２】
入出力モジュール情報の取得に関連する先行技術文献としては次のようなものがある。
【０００３】
【特許文献１】特開２００１−２９０７１４号公報
【０００４】
図５は、従来の情報管理システムの構成例を示す機能ブロック図である。１は分散型制御システムの制御バスであり、操作監視装置２がこの制御バスに接続されている。３は、同じくこの制御バスに接続されている制御ステーションであり、操作監視装置２と通信すると共にプラント４のフィールド機器を制御する。
【０００５】
５は、制御バス１に接続された情報管理装置であり、制御ステーション３の入出力モジュール（以下、ＩＯＭ）３１の情報を制御ステーション３側から取得して表示する機能を有する。
【０００６】
６は、イーサネット（登録商標）で代表される汎用通信バスであり、操作監視装置２及び情報管理装置５が接続される。７は、同じく汎用通信バス６に接続された外部ＰＣであり、操作監視装置２、情報管理装置５と通信可能である。
【０００７】
制御ステーション３において、８は実装されているＩＯＭ情報収集手段であり、信号処理手段８１、メモリダンプ情報保持手段８２よりなる。信号処理手段８１は、ＩＯＭ３１内の共有メモリ３１ａにアクセスして共有メモリ情報を取得してメモリダンプ情報保持手段８２に保持する。
【０００８】
情報管理装置５において、９はＩＯＭレポート手段であり、信号処理手段９１、メモリダンプ情報表示手段９２、ユーザアプリケーション９３を有する。信号処理手段９１は、ＩＯＭ情報収集手段８のメモリダンプ情報保持手段８２に保持されている共有メモリ情報を取得してメモリダンプ情報表示手段９２に表示させる。
【０００９】
更に、信号処理手段９１は取得データをユーザアプリケーション９３に渡して異常原因の解析を実行させる。このユーザアプリケーションは、操作監視装置２又は外部ＰＣ７で実行させることもできる。
【００１０】
図６は、共有メモリ３１ａから取得されてメモリダンプ情報表示手段９２で表示されるメモリ内容を示す画面例である。表示は、１６進形式のダンプ表示であり、ユーザによるＩＯＭレポート要求時のメモリ内容を表示する。
【発明の開示】
【発明が解決しようとする課題】
【００１１】
従来の情報管理システムでは、次のような問題点がある。
（１）ＩＯＭレポート取得時のＩＯＭ状態を取得している。従って、ＩＯＭが異常から復帰後にＩＯＭレポートを取得した場合は、復帰前の情報がないのでエラー要因が不明である。
【００１２】
（２）また、従来のＩＯＭレポート（ＩＯＭ共有メモリ情報）は16進表示形式で表示されるため、サービス部門や技術部以外のユーザには、この表示内容を見てエラー要因を解析することは不可能である。
【００１３】
従って本発明が解決しようとする課題は、ＩＯＭの異常が復帰していた場合でも要因解析が可能なように過去のエラー情報が取得でき、一般のユーザでも情報を理解できるインターフェースを備えた情報管理システムを実現することにある。
【課題を解決するための手段】
【００１４】
このような課題を達成するために、本発明の構成は次の通りである。
（１）入出力モジュールの状態を示す入出力モジュール情報を取得して表示する情報管理システムにおいて、
前記入出力モジュールの状態が正常から異常に変化したときの情報を表示する第１のエラー情報表示手段と、
前記入出力モジュールの状態が異常から正常に復帰したときの情報を表示する第２のエラー情報表示手段と、
を備えたことを特徴とする情報管理システム。
【００１５】
（２）前記第１及び第２のエラー情報表示手段は、エラー要因及び発生時刻情報を表示することを特徴とする（１）に記載の情報管理システム。
【００１６】
（３）前記第１及び第２のエラー情報表示手段は、前記入出力モジュールのエラー要因を文字列で表示することを特徴とする（１）又は（２）に記載の情報管理システム。
【００１７】
（４）プラントを制御する制御ステーションは、入出力モジュールの情報を収集するＩＯＭ情報収集手段を備え、
このＩＯＭ情報収集手段は、
入出力モジュールの状態が正常から異常に変化したときの情報を保持する第１のエラー情報保持手段と、
入出力モジュールの状態が異常から正常に復帰したときの情報を保持する第２のエラー情報保持手段と、
を備えることを特徴とする（１）乃至（３）のいずれかに記載の情報管理システム。
【００１８】
（５）前記制御ステーションと制御バスを介して通信すると共に、前記制御ステーションのＩＯＭ情報収集手段よりデータを取得するＩＯＭレポート手段を有する情報管理装置を備え、
前記ＩＯＭレポート手段は、
前記第１及び第２のエラー情報表示手段を備えることを特徴とする（４）に記載の情報管理システム。
【００１９】
（６）前記ＩＯＭレポート手段は、現在の入出力モジュールのステータス並びに異常の場合のエラー内容表示手段を備えることを特徴とする（５）に記載の情報管理システム。
【００２０】
（７）前記制御バスを介して前記制御ステーションと通信して分散型制御システムを構成する操作監視装置内に前記ＩＯＭレポート手段が形成されていることを特徴とする（５）又は（６）に記載の情報管理システム。
【００２１】
（８）前記制御ステーションは、前記プラントからのトリップ要求を受けてプラントの停止制御を実行する安全システムを形成することを特徴とする（４）乃至（７）のいずれかに記載の情報管理システム。
【発明の効果】
【００２２】
以上説明したことから明らかなように、本発明によれば次のような効果がある。
（１）ＩＯＭが正常から異常になったときの最初のエラー要因と発生時刻、並びに、ＩＯＭが異常から復帰したときの最後のエラー要因と復帰時刻を表示することで、トラブル解析の効率が向上する。
【００２３】
（２）ＩＯＭの異常要因を文字列で表示するインターフェースによって、サービス部門や技術部以外の一般ユーザがＩＯＭ異常の要因を解析することが可能な環境を提供することができる。
【発明を実施するための最良の形態】
【００２４】
以下、本発明を図面により詳細に説明する。図１は本発明を適用した情報管理システムの一実施形態を示す機能ブロック図である。図５で説明した従来システムと同一要素には同一符号を付して説明を省略する。以下、本発明の特徴部につき説明する。
【００２５】
制御ステーション３において、１００は本発明が適用されたＩＯＭ情報収集手段である。
信号処理手段１０１は、共有メモリ３１ａよりＩＯＭの現在及び過去のエラー履歴を取得して、現在のステータス情報保持手段１０２、現在のエラー内容保持手段１０３、最初のエラー情報を保持する第１のエラー情報保持手段１０４、最後のエラー情報を保持する第２のエラー情報保持手段１０５、メモリダンプ情報保持手段１０６に取得データを保持させる。メモリダンプ情報保持手段１０６は、従来システムのメモリダンプ情報保持手段８２と同一機能である。
【００２６】
制御ステーション情報管理装置５において、２００は本発明が適用されたＩＯＭレポート手段である。信号処理手段２０１は、ＩＯＭ情報収集手段１００より保持データを取得して、現在のステータス情報表示手段２０２、現在のエラー内容表示手段２０３、最初のエラー情報を表示する第１のエラー情報表示手段２０４、最後のエラー情報を表示する第２のエラー情報表示手段２０５、メモリダンプ情報表示手段２０６に取得データを表示させる。メモリダンプ情報表示手段２０６及びユーザアプリケーション２０７は、従来システムのメモリダンプ情報表示手段９２と同一機能である。
【００２７】
図２は、本発明によるＩＯＭレポート手段２００の表示内容の詳細を示す対応表である。
現在のステータス（ｒ１）：ＩＯＭ  Normal，ＩＯＭ  Failの２ステータス表示
現在のエラー内容（ｒ２）：ＩＯＭ異常要因を文字列とエラーコードで表示
最初のエラー内容（ｒ３）：最初のエラーを文字列とエラーコードで表示
最後のエラー内容（ｒ４）：最後のエラーを文字列とエラーコードで表示
共有メモリダンプ情報（ｒ５）：１６進表示形式のダンプメモリ内容を表示
【００２８】
図３は、ＩＯＭの異常発生パターン例を時系列的に示したタイムチャートである。時刻Ｔ１まではＩＯＭ正常でパターンは（１）である。時刻Ｔ１で異常Ａが発生（最初のエラー）した状態は、パターン（２）である。引き続き異常Ｂが発生した状態は、パターン（３）である。
【００２９】
時刻Ｔ２でＩＯＭが正常に復帰した状態は、パターン（４）である。このとき、ＩＯＭが時刻Ｔ２で正常に復帰した直前の異常Ｂは、最後のエラーの扱いとなる。時刻Ｔ４で異常Ｃが発生したときは、異常Ａと同じ扱いとなり最初のエラーとなる。
【００３０】
従って、最初のエラー表示（ｒ３）は、パターン（２）、パターン（３）で異常Ａが発生した場合及びパターン（５）で異常Ｃ発生した場合に表示される。最後のエラー表示（ｒ４）は、パターン（４）のみで表示される。
【００３１】
図４は、パターン別の情報管理と表示内容を示す対応表である。現在のステータス／内容（ｒ１／ｒ２）の表示では、パターン（２），（３），（５）でＩＯＭ Failと異常Ａ，Ｂ，Ｃのステータス表示となる。パターン（１）及び（４）では、ＩＯＭ正常でエラー表示なしとなる。
【００３２】
最初のエラー発生時刻／内容（ｒ３）の表示では、パターン（２），（３），（４）で時刻Ｔ１／異常Ａが、パターン（５）で時刻Ｔ３／異常Ｃが最初のエラー情報として表示される。パターン（１）では表示なしとなる。
【００３３】
最後のエラー発生時刻／内容（ｒ４）の表示では、パターン（４）で時刻Ｔ２／異常Ｂが最後のエラー情報として表示される。他のパターンでは表示なしとなる。
【００３４】
以上の各パターン別のＩＯＭレポート結果の表示をまとめれば、パターン（１）の表示ではｒ１，ｒ５が、パターン（２）の表示ではｒ１，ｒ２，ｒ３，ｒ５が、パターン（３）の表示では同じくｒ１，ｒ２，ｒ３，ｒ５が、パターン（４）の表示ではｒ１，ｒ３，ｒ４，ｒ５が、パターン（５）の表示ではｒ１，ｒ２，ｒ３，ｒ５となる。全てのパターンでｒ１及びｒ５が表示される。
【００３５】
以上説明した実施形態では、ＩＯＭレポート手段２００を独立した情報管理装置５内に形成した例を示したが、制御バス１を介して制御ステーション３と通信して分散型制御システムを構成する操作監視装置２内にこのＩＯＭレポート手段を形成する実施形態、更には汎用通信バス６に接続される外部ＰＣ７内に形成する実施形態も可能である。
【００３６】
ユーザアプリケーション２０７は、ＩＯＭレポート手段２００内に設けた実施形態を示したが、これも汎用通信バス６に接続される外部ＰＣ７内にインストールして遠隔点でのデータ解析を可能とする環境にすることも可能である。
【００３７】
制御ステーション３は、一般的なプラント制御の他、プラント４からのトリップ要求を受けてプラントの停止制御を実行する安全システムとして機能する実施形態をとることも可能である。
【図面の簡単な説明】
【００３８】
【図１】本発明を適用した情報管理システムの一実施形態を示す機能ブロック図である。
【図２】本発明によるＩＯＭレポート手段の表示内容の詳細を示す対応表である。
【図３】ＩＯＭの異常発生パターン例を時系列的に示したタイムチャートである。
【図４】パターン別の情報管理と表示内容を示す対応表である。
【図５】従来の情報管理システムの構成例を示す機能ブロック図である。
【図６】ＩＯＭ共有メモリから取得されてメモリダンプ情報表示手段で表示されるメモリ内容を示す画面例である。
【符号の説明】
【００３９】
１  制御バス
２  操作監視装置
３  制御ステーション
４  プラント
５  情報管理装置
６  汎用通信バス
７  ＰＣ
１００  ＩＯＭ情報収集手段
１０１  信号処理手段
１０２  現在のステータス情報保持手段
１０３  現在のエラー内容保持手段
１０４  第１のエラー情報保持手段
１０５  第２のエラー情報保持手段
１０６  メモリダンプ情報保持手段
２００  ＩＯＭレポート手段
２０１  信号処理手段
２０２  現在のステータス情報表示手段
２０３  現在のエラー内容表示手段
２０４  第１のエラー情報表示手段
２０５  第２のエラー情報表示手段
２０６  メモリダンプ情報表示手段
２０７  ユーザアプリケーション
【図１】
2006178727.tif 000003
【図２】
2006178727.tif 000004
【図３】
2006178727.tif 000005
【図４】
2006178727.tif 000006
【図５】
2006178727.tif 000007
【図６】
2006178727.tif 000008